(57)【特許請求の範囲】
【請求項１】
レーザ光源からの光を光記録媒体に導き、前記光記録媒体からの反射光をホログラフィックビームスプリッタで回折させて受光素子により検出する、光情報の記録および再生を行う光ヘッド装置において、
前記反射光は、前記ホログラフィックビームスプリッタで回折され、＋１次の回折光の光強度と−１次の回折光の光強度と、が異なるとともに、前記＋１次の回折光と前記−１次の回折光がそれぞれ異なる受光素子に入射し、
前記それぞれの回折光が入射する前記それぞれの受光素子が、光情報の記録時と再生時とで切り替えて使用されることを特徴とする光ヘッド装置。
【請求項２】
前記光情報の記録時に、前記＋１次の回折光と前記−１次の回折光のうち、小さい方の光強度となる回折光を検出する受光素子が使用され、
かつ、前記光情報の再生時に、前記＋１次の回折光と前記−１次の回折光のうち、大きい方の光強度となる回折光を検出する受光素子が使用されるように選択される請求項１に記載の光ヘッド装置。
【請求項３】
前記ホログラフィックビームスプリッタにおける回折格子の一つの断面形状のうち、一方が垂線で他方が斜線である鋸歯状または前記鋸歯状を階段状に近似した形状を有する請求項１または２に記載の光ヘッド装置。
【請求項４】
レーザ光源からの光を光記録媒体に導き、前記光記録媒体からの反射光を受光素子により検出する、光情報の記録および再生を行う光ヘッド装置において、
前記光記録媒体からの反射光を回折させて異なる受光素子に入射させるとともに、＋１次の回折光の強度および−１次の回折光の強度が異なっている回折素子を有し、
前記それぞれの回折光が入射する受光素子が、光情報の再生時と記録時とで切り替えて使用されることを特徴とする光ヘッド装置。
【発明の詳細な説明】
【０００１】
【発明の属する技術分野】
本発明は、ＣＤ−Ｒ、ＣＤ−ＲＷ、ＤＶＤ−Ｒ、ＤＶＤ＋ＲＷなどの記録用光ディスクまたは光磁気ディスクなど、レーザ光の照射により光学的に情報記録が可能な光記録媒体に対して情報の書き込み、読み取り、または消去を行うための光ヘッド装置に関する。
【０００２】
【従来の技術】
ＣＤやＤＶＤなどの光ディスクまたは光磁気ディスクなどの光記録媒体に情報を書き込んだり、光記録媒体から情報を読み取ったりするために、レンズや回折素子などの光学素子、半導体レーザ、および受光素子などを備えた光ヘッド装置が用いられている。
【０００３】
従来の光ヘッド装置の一例として、特許第２７７６４８７号に記載されたものを図７および図８を用いて説明する。図７は従来の光ヘッド装置の基本構成を示す斜視図、図８は従来の光ヘッド装置に係るフォーカス誤差信号およびトラッキング誤差信号を得る構成を模式的に示す説明図である。
【０００４】
光ヘッド装置は、光源としての半導体レーザ１０１、半導体レーザ１０１の次段に配設され半導体レーザ１０１からの出射光と光記録媒体１０６での反射光をそれぞれ回折するための回折素子１０２，１０３、回折素子１０２，１０３の次段に配設されレーザ光を平行光線とするためのコリメートレンズ１０４、コリメートレンズ１０４の次段に配設されレーザ光を集光するための対物レンズ１０５、回折素子１０３からの回折光を受光する受光素子１０７を有している。
【０００５】
上記構成において、半導体レーザ１０１から出射されたレーザ光は、回折素子１０２で０次回折光と±１次回折光との３つに分割回折され、これらの３つの回折光が回折素子１０３とコリメートレンズ１０４とを通り、対物レンズ１０５によって光記録媒体１０６上へ集光される。すなわち、０次回折光を光記録媒体１０６の記録トラックのピット上へ集光させるとともに、上記２つの±１次回折光を、光記録媒体１０６に対してトラックと直交方向へわずかにずれ、トラック方向へより大きくずれた位置であり、かつ上記０次回折光に関して互いに対称な位置へ集光させる。
【０００６】
そして、光記録媒体１０６によって反射された反射光は、対物レンズ１０５、コリメートレンズ１０４を通り、回折素子１０３で回折され、その＋１次回折光が受光素子１０７の受光部へ導かれて光量が検出される。
【０００７】
回折素子１０３は、図８に示すように、光記録媒体１０６のトラック方向と垂直な分割線ＤＬによって領域１０３ａとこれに対向する部分に分割され、この対向する部分をさらにトラック方向と平行な分割線ＰＬによって領域１０３ｂと１０３ｃに分割されている。また、受光素子１０７は、複数領域に分割された６つの受光部１０７ａ，１０７ｂ，１０７ｃ，１０７ｄ，１０７ｅ，１０７ｆを有している。
【０００８】
合焦状態のときには、回折素子１０２による０次回折光、＋１次回折光、−１次回折光のそれぞれの反射戻り光が回折素子１０３の領域１０３ａによって回折された＋１次回折光を、受光素子１０７にそれぞれ回折限界近くまで絞られたスポットを形成するように集光させる。このとき、０次回折光の反射戻り光は受光素子１０７の受光部１０７ａと１０７ｂの分割線上に、＋１次回折光の反射戻り光は受光素子１０７の受光部１０７ｃに、−１次回折光の反射戻り光は受光素子１０７の受光部１０７ｄにそれぞれ集光される。
【０００９】
さらに、回折素子１０２による０次回折光の反射戻り光が回折素子１０３の領域１０３ｂによって回折された＋１次回折光を、受光素子１０７の受光部１０７ｅに、また、回折素子１０２による０次回折光の反射戻り光が回折素子１０３の領域１０３ｃによって回折された＋１次回折光を、受光素子１０７の受光部１０７ｆに、それぞれ回折限界近くまで絞られたスポットを形成するように集光させる。
【００１０】
受光素子１０７の受光部１０７ａ，１０７ｂ，１０７ｃ，１０７ｄ，１０７ｅ，１０７ｆの出力信号をそれぞれＳa ，Ｓb ，Ｓc ，Ｓd ，Ｓe ，Ｓf とした場合、フォーカス誤差信号ＦＥＳは（Ｓa −Ｓb ）、トラッキング誤差信号は３ビーム法（ＴＥＳ２）の場合は（Ｓc −Ｓd ）、プッシュプル法（ＴＥＳ１）の場合は（Ｓe −Ｓf ）によりそれぞれ得られる。また、記録情報信号であるピット信号（ＲＦ）は（Ｓa ＋Ｓb ＋Ｓe ＋Ｓf ）により得られる。
【００１１】
【発明が解決しようとする課題】
しかしながら、上記のような従来の光ヘッド装置には以下のような問題点があった。すなわち、光記録媒体からの反射戻り光は回折素子で回折されて受光素子上に回折限界近くまで絞られた光ビームとなって集光される。さらに光情報の記録時には、光記録媒体上において再生時の光強度の数倍以上の光出力が必要となるため、当然受光素子上での光強度も数倍以上となる。このように、受光素子において高強度の光ビームが集中した場合、一般的には空間電界効果により受光素子の周波数応答特性が著しく劣化するため、高倍速記録が困難であるという問題点があった。
【００１２】
本発明は、従来技術が有していた前述のような問題点を解決するものであり、記録時における受光素子への入射光強度を低く抑えて周波数応答特性の劣化を防止でき、高倍速記録が可能な光ヘッド装置を提供することを目的とする。
【００１３】
【課題を解決するための手段】
本発明は、レーザ光源からの光を光記録媒体に導き、前記光記録媒体からの反射光をホログラフィックビームスプリッタで回折させて受光素子により検出する、光情報の記録および再生を行う光ヘッド装置において、前記反射光は、前記ホログラフィックビームスプリッタで回折され、＋１次の回折光の光強度と−１次の回折光の光強度と、が異なるとともに、前記＋１次の回折光と前記−１次の回折光がそれぞれ異なる受光素子に入射し、前記それぞれの回折光が入射する前記それぞれの受光素子が、光情報の記録時と再生時とで切り替えて使用されることを特徴とする光ヘッド装置を提供する。
【００１４】
また、好ましくは、前記光情報の記録時に、前記＋１次の回折光と前記−１次の回折光のうち、小さい方の光強度となる回折光を検出する受光素子が使用され、
かつ、前記光情報の再生時に、前記＋１次の回折光と前記−１次の回折光のうち、大きい方の光強度となる回折光を検出する受光素子が使用されるように選択される上記の光ヘッド装置を提供する。
【００１５】
また、好ましくは、前記ホログラフィックビームスプリッタにおける回折格子の一つの断面形状のうち、一方が垂線で他方が斜線である鋸歯状または前記鋸歯状を階段状に近似した形状を有する上記の光ヘッド装置を提供する。
【００１６】
また、レーザ光源からの光を光記録媒体に導き、前記光記録媒体からの反射光を受光素子により検出する、光情報の記録および再生を行う光ヘッド装置において、前記光記録媒体からの反射光を回折させて異なる受光素子に入射させるとともに、＋１次の回折光の強度および−１次の回折光の強度が異なっている回折素子を有し、前記それぞれの回折光が入射する受光素子が、光情報の再生時と記録時とで切り替えて使用されることを特徴とする光ヘッド装置を提供する。
【００１７】
光記録媒体からの反射光をホログラフィックビームスプリッタで回折させて受光素子により検出する光ヘッド装置において、記録時と再生時とで異なる受光素子を使用し、好ましくはそれぞれ異なる受光素子に入射する＋１次および−１次の回折光の強度が異なるように、すなわち回折光の＋１次回折効率と−１次回折効率を非対称にすることにより、記録時における受光素子への入射光強度を低く抑えて周波数応答特性の劣化を防止できるようになり、高倍速記録に対応可能となる。
【００１８】
また、ホログラフィックビームスプリッタにおける回折格子の一つの断面形状が一方が垂線で他方が斜線である鋸歯状、あるいは階段状で前記鋸歯状に近似した形状を有するもの、すなわち回折格子をブレーズ化もしくは疑似ブレーズ化したものを用いることにより、回折格子の一つの大きさ（高さおよび深さ）を変化させることで回折光の＋１次回折効率と−１次回折効率との割合を任意に設定可能となる。
【００１９】
【発明の実施の形態】
以下、図面を参照して本発明の実施の形態を説明する。
図１ないし図６は本発明の光ヘッド装置の一実施形態に係り、図１は光ヘッド装置の基本構成を示す斜視図、図２は回折素子として用いられるホログラフィックビームスプリッタ周辺の構成を示す側面図、図３は受光素子の出力よりフォーカス誤差信号およびトラッキング誤差信号を得る構成を模式的に示す説明図、図４は疑似ブレーズ化したホログラフィックビームスプリッタの回折格子一周期当たりの段差形状を示す説明図、図５は図４のような構成の回折素子における格子高さに対する回折効率の計算例を示すグラフ、図６は受光素子の入射光強度に対する遮断周波数の測定例を示すグラフである。
【００２０】
本実施形態に係る光ヘッド装置は、ＣＤ−Ｒ、ＣＤ−ＲＷ、ＤＶＤ−Ｒ、ＤＶＤ＋ＲＷなどの記録用光ディスクまたは光磁気ディスクなど、レーザ光の照射により光学的に情報記録が可能な光記録媒体に対して情報の書き込みおよび読み取りなどを行う光学情報記録再生装置に用いられる。
【００２１】
図１に示すように、光ヘッド装置は、レーザ光源としての半導体レーザ１、半導体レーザ１の次段に配設され半導体レーザ１からの出射光を回折するための回折素子２、回折素子２の次段に配設され光記録媒体６からの反射光を回折するための回折素子３、回折素子３の次段に配設された半導体レーザ１の発振波長の１／４倍の位相差を有する１／４波長板９、１／４波長板９の次段に配設されレーザ光を平行光線とするためのコリメートレンズ４、コリメートレンズ４の次段に配設されレーザ光を集光するための対物レンズ５、回折素子３からの＋１次回折光を受光する受光素子７、回折素子３からの−１次回折光を受光する受光素子８を有している。また、回折素子２の近傍に配設された反射型ホログラフィック光学素子１０と、この反射型ホログラフィック光学素子１０からの＋１次回折光を受光する受光素子１１を有している。
【００２２】
半導体レーザ１は、例えば発振中心波長７８５ｎｍのものが用いられる。なお、図１において、半導体レーザ１は共振発光方向と光軸方向とが平行となるように配置した例を示しているが、共振発光方向と光軸方向とが垂直となるように配置し、反射プリズムなどにより出射光を反射させて折り返すような構成とすることもできる。
【００２３】
回折素子３は、図２に示すように、光記録媒体からの反射戻り光を回折させて＋１次回折光と−１次回折光を受光素子７，８へそれぞれ導くように、回折格子の一つの断面形状が一方が垂線で他方が斜線である鋸歯状のブレーズ化された回折格子により構成される。ここで、１は半導体レーザ、９は１／４波長板である。また、回折素子３は、ガラス、ポリオレフィンなどの無機または有機の基板の表面に凹凸を形成したものや、光学的に等方性の部材の凹凸と液晶などの光学的な異方性材料とを組合せたものや、高分子液晶などの異方性材料の凹凸と等方性の部材とを組み合わせたホログラムタイプのものなどでもよい。さらに、多段の階段状の格子で鋸歯状のブレーズ型の回折格子を近似した疑似ブレーズ型のものでもよい。
【００２４】
回折素子３の格子は、ドライエッチングまたはウェットエッチングや、射出成形や、プレスなどによって形成できる。これによって、半導体レーザ１からの出射光を透過するとともに光記録媒体６からの反射光を回折するようなビームスプリッタ機能を持たせることが可能である。回折素子３としては、往路透過率（往路０次回折効率）を高くすることができる点、および往復の光利用効率を大きくすることができる点を考慮し、往路では位相差（屈折率差）が小さく、復路で位相差（屈折率差）が大きくなる偏光型ホログラフィックビームスプリッタを用いるのがより好ましい。
【００２５】
ここで、回折素子３は、図１および図３に示すように、光記録媒体６のトラック方向と垂直な分割線ＤＬによって領域３ａとこれに対向する部分に分割され、この対向する部分をさらにトラック方向と平行な分割線ＰＬによって領域３ｂと３ｃに分割されている。
【００２６】
反射型ホログラフィック光学素子１０は、例えば回折素子２と同一面上に配置し、この面上に凹凸を形成した後、Ａｌなどにより反射ミラーを形成して構成される。なお、この反射型ホログラフィック光学素子１０においてもブレーズ化することにより＋１次の回折効率を上げることもできる。さらに、回折素子２，３、反射型ホログラフィック光学素子１０、および１／４波長板９は、積層することにより一素子化することが小型化の点で好ましい。
【００２７】
また、受光素子７は、複数領域に分割された６つの受光部７ａ，７ｂ，７ｃ，７ｄ，７ｅ，７ｆを有しており、同様に受光素子８は、複数領域に分割された６つの受光部８ａ，８ｂ，８ｃ，８ｄ，８ｅ，８ｆを有している。そして、これらの受光部７ａ〜７ｆ，８ａ〜８ｂの出力に基づいて、それぞれの受光素子ごとにフォーカス誤差信号、トラッキング誤差信号、および記録情報信号であるピット信号を生成する演算回路が設けられている。また、それぞれの受光素子７，８の出力に基づいて生成されたフォーカス誤差信号、トラッキング誤差信号、およびピット信号をいずれかに切り替える切替スイッチ１３ａ，１３ｂ，１３ｃが設けられている。なお、受光素子７，８，１１は、図示しない電流電圧変換アンプ、切替スイッチなどの回路と一体化して、ＩＣ化したものを使用することが好ましい。
【００２８】
次に、本実施形態の動作について具体的に説明する。往路においては、半導体レーザ１より出射したレーザ光を、回折素子２で０次回折光と±１次回折光との３つに分割回折させ、この３つの回折光を回折素子３、１／４波長板９、およびコリメートレンズ４を通して、対物レンズ５によって光記録媒体６上へ集光させる。すなわち、０次回折光を光記録媒体６の記録トラックのピット上へ集光させるとともに、上記２つの±１次回折光を、光記録媒体６に対してトラックと直交方向へわずかにずれ、トラック方向へより大きくずれた位置であり、かつ上記０次回折光に関して互いに対称な位置へ集光させる。
【００２９】
そして復路においては、光記録媒体６によって反射された反射光を、対物レンズ５、コリメートレンズ４、１／４波長板９を通して、回折素子３で回折させ、その＋１次回折光を受光素子７に、−１次回折光を受光素子８にそれぞれ導く。このときの光記録媒体６からの反射戻り光の偏光方向は、１／４波長板９により半導体レーザ１の出射光の偏光方向（Ｐ偏光）に対して９０度回転した偏光方向（Ｓ偏光）に変換されている。
【００３０】
合焦状態のときには、回折素子２による０次回折光、＋１次回折光、−１次回折光のそれぞれの反射戻り光が回折素子３の領域３ａによって回折された＋１次回折光を受光素子７に、−１次回折光を受光素子８にそれぞれ回折限界近くまで絞られたスポットを形成するように集光させる。このとき、０次回折光の反射戻り光に関する＋１次回折光は受光素子７の受光部７ａと７ｂの分割線上に、その−１次回折光は受光素子８の受光部８ａと８ｂの分割線上に、＋１次回折光の反射戻り光に関する＋１次回折光は受光素子７の受光部７ｃに、ぞの−１次回折光は受光素子８の受光部８ｃに、−１次回折光の反射戻り光に関する＋１次回折光は受光素子７の受光部７ｄに、その−１次回折光は受光素子８の受光部８ｄにそれぞれ集光される。
【００３１】
さらに、回折素子２による０次回折光の反射戻り光が回折素子３の領域３ｂによって回折された＋１次回折光を受光素子７の受光部７ｅに、その−１次回折光を受光素子８ｅに、また、回折素子２による０次回折光の反射戻り光が回折素子３の領域３ｃによって回折された＋１次回折光を受光素子７の受光部７ｆに、その−１次回折光を受光素子８ｆにそれぞれ回折限界近くまで絞られたスポットを形成するように集光させる。ここで、波長７８５ｎｍのレーザ光の場合において、集光スポット径は約１０μｍであった。
【００３２】
なお、再生時および記録時には、半導体レーザ１からの出射光のうち、実際に対物レンズ５に導かれない光の一部を、反射型ホログラフィック光学素子１０により受光素子１１上に反射集光させ、半導体レーザ１の光出力をモニタしている。具体的には、受光素子１１より出力されるモニタ信号を用いて、外部の駆動回路（自動出力制御（ＡＰＣ）回路など）により半導体レーザ１の光出力を制御している。また、再生時と記録時との動作切り替えについても、外部の制御回路などにより行っている。
【００３３】
次いで、フォーカス誤差信号およびトラッキング誤差信号の検出方法について図３を用いて説明する。光記録媒体に記録された情報の再生時には、切替スイッチ１３ａ，１３ｂ，１３ｃを作動させて受光素子７の出力を選択するように切り替え、受光部７ａ〜７ｆの出力信号に基づいてフォーカス誤差信号（ＦＥＳ）、トラッキング誤差信号（ＴＥＳ）、およびピット信号（ＲＦ）を得る。受光素子７の受光部７ａ，７ｂ，７ｃ，７ｄ，７ｅ，７ｆの出力信号をそれぞれＨa ，Ｈb ，Ｈc ，Ｈd ，Ｈe ，Ｈf とした場合、フォーカス誤差信号（ＦＥＳ１）は（Ｈa −Ｈb ）、トラッキング誤差信号は３ビーム法（ＴＥＳ２）の場合は（Ｈc −Ｈd ）、プッシュプル法（ＴＥＳ１）の場合は（Ｈe −Ｈf ）によりそれぞれ得られる。また、ピット信号（ＲＦ１）は（Ｈa ＋Ｈb ＋Ｈe ＋Ｈf ）により得られる。
【００３４】
なお、記録時と再生時とで受光素子７，８を切り替えるための信号は、装置本体の制御回路などより出力される外部切替信号を用い、その外部切替信号により切替スイッチ１３ａ，１３ｂ，１３ｃを作動させる。
【００３５】
また、光記録媒体６への情報の記録時には、切替スイッチ１３ａ，１３ｂ，１３ｃを作動させて受光素子８の出力を選択するように切り替え、受光部８ａ〜８ｆの出力信号に基づいてフォーカス誤差信号、トラッキング誤差信号、およびＲＦ信号を得る。受光素子８の受光部８ａ，８ｂ，８ｃ，８ｄ，８ｅ，８ｆの出力信号をそれぞれＬa ，Ｌb ，Ｌc ，Ｌd ，Ｌe ，Ｌf とした場合、フォーカス誤差信号（ＦＥＳ２）は（Ｌa −Ｌb ）、トラッキング誤差信号は３ビーム法（ＴＥＳ４）の場合は（Ｌc −Ｌd ）、プッシュプル法（ＴＥＳ３）の場合は（Ｌe −Ｌf ）によりそれぞれ得られる。また、ピット信号（ＲＦ２）は（Ｌa ＋Ｌb ＋Ｌe ＋Ｌf ）により得られる。
【００３６】
次に、回折素子３の構成および作用について詳細に説明する。回折素子の例を図４および図５に示す。図４は三段の階段状の格子を形成して疑似ブレーズ化した回折素子の一周期当たりの段差形状を、図５は図４の段差形状の回折素子における回折効率の計算結果をそれぞれ示したものである。本実施形態では、階段状の疑似ブレーズ化した回折素子を用いることによって、＋１次回折光と−１次回折光とで回折効率を非対称にする。
【００３７】
この例において、段差形状は、図４に示すように、回折格子の一周期あたりの規格化長さ（一周期の長さを１としたときの各段の長さ割合）を、一段目：４０％、二段目：４５％、三段目：１５％とし、一周期あたりの規格化高さ（一段目と三段目の高低差を１としたときの高さ割合）を、一段目：０％、二段目：２９％、三段目：７１％とした。また計算条件は、回折格子の一周期の長さ（ピッチ）を３．５μｍ、屈折率差（Δｎ）を０．１３、レーザ光の中心波長を７８５ｎｍとした。図５は、上記条件において、格子高さ（一段目と三段目の高低差）をパラメータとしたときの回折効率の計算結果である。この図５において、実線は−１次と＋１次との回折効率比、破線は＋１次の回折効率、二点破線は−１次の回折効率をそれぞれ百分率（％）で示している。
【００３８】
図５の計算結果から、格子高さを変えることによって±１次の回折効率比を任意に選べることがわかる。具体的には、格子高さを約２８００ｎｍにすることにより、＋１次の回折効率に対する−１次の回折効率の比を５１：１にした偏光型疑似ブレーズホログラフィックビームスプリッタが実現できる。
【００３９】
また、上記疑似ブレーズ格子の本例と矩形格子の比較例とのそれぞれにおける、回折効率および受光素子入射光強度の測定例を表１に示す。ここで、受光素子入射光強度は、光記録媒体の板面上での光強度を再生時は１ｍＷ、記録時は４９ｍＷとし、光記録媒体の反射率を７５％、回折素子２の０次回折効率を８０％、その他の光学素子の透過率を９５％とした場合の受光部７ａおよび７ｂと受光部８ａおよび８ｂへのそれぞれの入射光強度換算値である。
【００４０】
【表１】
0004258587.tif 000002
【００４１】
さらに、受光部７ａとほぼ同等の受光面積を有するＳｉ−ＰＩＮフォトダイオードの入射光強度に対する遮断周波数特性の測定例を図６に示す。ここで、入射光の集光スポットは約１０μｍ、波長は７８０ｎｍとした。
【００４２】
表１および図６に示すように、回折素子３に矩形格子を用いるかあるいは記録時と再生時とで受光素子の切り替えを行わない場合、記録時には受光部８ａ，８ｂの分割線上の入射光強度は４．９ｍＷ程度となり、受光素子の遮断周波数は再生時と比べて１桁近く低くなる。この場合、受光素子の周波数応答特性が著しく劣化してしまうため、高倍速記録が困難である。
【００４３】
これに対して、本実施形態のようにブレーズ化または疑似ブレーズ化した回折素子３を用い、＋１次と−１次の回折効率を変えてそれぞれの回折光を異なる受光素子７，８に入射させ、再生時と記録時とで受光素子を切り替える場合は、受光部７ａ，７ｂおよび８ａ，８ｂにおける入射光強度は記録時、再生時共に約７０μＷとなる。したがって、受光素子の周波数応答特性の劣化を防止でき、十分高速応答可能であり、高倍速記録が可能となった。なお、ここで高い周波数応答特性を確保するために、回折素子の回折効率を下げることも考えられるが、この場合は再生時において受光素子への入射光強度が大きく減少して、十分なＳ／Ｎが得られない。
【００４４】
なお、本発明は、上述の実施形態にのみ限定されるものではなく、上述の実施形態ではフォーカス誤差検出方式としてフーコー法を用いた構成を例にとって説明したが、その他の方式、例えばＳＳＤ（スポットサイズディテクション法）などのフォーカス誤差検出方式による光ヘッド装置においても適用できる。
【００４５】
このように本実施形態では、ブレーズ化または疑似ブレーズ化した回折素子を用い、その＋１次と−１次の回折効率を変えて強度が異なる＋１次と−１次の回折光をそれぞれ異なる受光素子に入射させ、再生時と記録時とで受光素子を切り替えて使用することにより、記録時において使用する受光素子への入射光強度を低く抑えて、受光素子の周波数応答特性の劣化を回避することができ、高倍速記録に対応できる。
【００４６】
【発明の効果】
以上説明したように本発明によれば、光記録媒体からの反射光をホログラフィックビームスプリッタで回折させて受光素子により検出する光ヘッド装置において、記録時と再生時とで異なる受光素子を使用し、好ましくはそれぞれ異なる受光素子に入射する＋１次および−１次の回折光の強度が異なるようにすることにより、記録時における受光素子への入射光強度を低く抑えて周波数応答特性の劣化を防止することができ、高倍速記録が可能な光ヘッド装置を提供できる効果がある。
【図面の簡単な説明】
【図１】本発明の一実施形態に係る光ヘッド装置の基本構成を示す斜視図である。
【図２】本発明の一実施形態に係る回折素子として用いられるホログラフィックビームスプリッタ周辺の構成を示す側面図である。
【図３】本発明の一実施形態に係るフォーカス誤差信号およびトラッキング誤差信号を得る構成を模式的に示す説明図である。
【図４】本発明の一実施形態に係る三段の階段状に疑似ブレーズ化したホログラフィックビームスプリッタの回折格子一周期当たりの段差形状を示す説明図である。
【図５】図４のような構成の回折素子における格子高さに対する回折効率の計算例を示すグラフである。
【図６】受光素子の入射光強度に対する遮断周波数の測定例を示すグラフである。
【図７】従来の光ヘッド装置の一例を示す斜視図である。
【図８】従来の光ヘッド装置に係るフォーカス誤差信号およびトラッキング誤差信号を得る構成を模式的に示す説明図である。
【符号の説明】
１  半導体レーザ
２，３  回折素子
４  コリメートレンズ
５  対物レンズ
６  光記録媒体
７，８，１１  受光素子
７ａ〜７ｆ，８ａ〜８ｆ  受光部
９  １／４波長板
１０  反射型ホログラフィック光学素子
１３ａ，１３ｂ，１３ｃ  切替スイッチ
【図１】
0004258587.tif 000003
【図２】
0004258587.tif 000004
【図３】
0004258587.tif 000005
【図４】
0004258587.tif 000006
【図５】
0004258587.tif 000007
【図６】
0004258587.tif 000008
【図７】
0004258587.tif 000009
【図８】
0004258587.tif 000010